【事件の表示】
　平成　５年特許願第２７８５２０号「電子スチルビデオカメラ」拒絶査定不服審判事件〔平成　７年　５月１９日出願公開、特開平　７−１３１７４８、請求項の数（６）〕について、次のとおり審決する。
【結　論】
　原査定を取り消す。
　本願の発明は、特許すべきものとする。
【理　由】
１　【手続きの経緯、本願発明】
　本願は、平成５年１１月８ 日の出順であって、その請求項１ないし６に係る発明は、平成１５年５月１６ 日付け及び平成１６年５月２１日付け手続補正書により補正された明細書及び図面の記載からみて、その特許請求の範囲の請求項１ないし６に記載された次のとおりのものである。
「【請求項１】　撮像素子と、前記撮像素子により得られた信号をＡ／Ｄ変換し、ディジタル信号にするＡ／Ｄ変換部と、前記ディジタル信号を記憶するメモリ部と、前記メモリ部に記憶されたディジタル信号に信号処理を施す信号処理手段と、前記信号処理手段によって処理されたディジタル信号を記録する記録媒体と、システム制御をおこなうＣＰＵと、を有する電子スチルビデオカメラに於いて、
前記ＣＰＵは、前記信号処理手段を含み、信号処理をソフトウェアでおこなうと共に、前記メモリ部に対し、前記撮像素子から得られるディジタル信号を記録するためのメモリ量及び、前記信号処理を行うための作業メモリ量を設定するメモリ領域設定手段を有し、カメラの撮影モード設定に応じて、前記撮像素子により得られるディジタル信号を取り込むメモリ割当量を変更可能としたことを特徴とする電子スチルビデオカメラ。
　【請求項２】　前記メモリ部を構成するメモリとして、ＤＲＡＭ，ＳＲＡＭまたはマルチポートＲＡＭを使用することを特徴とする請求項１に記載の電子スチルビデオカメラ。　　　　　　　　　　　　
　【請求項３】　前記ＣＰＵのおこなう信号処理は、輝度・色差分離処理であることを特徴とする請求項１又は２に記載の電子スチルビデオカメラ。
　【請求項４】　前記ＣＰＵのおこなう信号処理は、高能率符号化処理であることを特徴とする請求項１〜３のいずれか１項に記載の電子スチルビデオカメラ。
　【請求項５】　前記メモリ部は、前記ＣＰＵの動作に必要なスタック領域を含むことを特徴とする請求項１〜４のいずれか１項に記載の電子スチルビデオカメラ。
　【請求項６】　前記メモリ部は、外部より増設可能であることを特徴とする請求項１〜５のいずれか１項に記載の電子スチルビデオカメラ。」
　
２　【引用例】
（１）これに対して、原査定の拒絶理由で引用された特開平３−２８９２７２号公報（以下「引用例１」という。)には、「デジタル電子スチルカメラ」（発明の名称）に関し、図面と共に次に掲げる事項ア、イが記載されている。
　　ア　「イメージセンサと、該イメージセンサから読み出された映像信号をデジタル信号に変換するＡ／Ｄ変換器と、前記デジタル信号に基づいた画像データを記憶する記憶手段とを具備するデジタル電子スチルカメラにおいて、撮影時に前記画像データについて所望の補正を行うか否かを選択するとともに、補正選択時に入力された補正値を前記画像データと分離して前記記憶手段に記憶し、且つ記憶された前記画像データを読み出して再生する際に所望の補正を行うか否かを選択する選択手段を設けたことを特徴するデジタル電子スチルカメラ。」(特許請求の範囲)
　　イ　「システムコントローラ２２によりＣＣＤ２を駆動し、前記のように読み出された色信号Ｒ、Ｇ、Ｂが撮像系回路３を介してＡ／Ｄ変換器４に供給される。Ａ／Ｄ変換器４から得られた画像データは、メモリコントロール回路５によつて一旦メモリ回路６に供給される。但し、この段階では色信号Ｒ、Ｇ、Ｂはフィールド配列である。
　メモリ回路６に色信号Ｒ、Ｇ、Ｂが格納されると、メモリコントロール回路５により読み出され、輝度・色差分離回路７に供給されて輝度信号Ｙ、色差信号Ｒ−Ｙ、Ｂ−Ｙが形成される。この際、色差信号Ｒ−Ｙ、Ｂ−Ｙについて前記彩度アップの補正値に対応した補正が行われる。輝度信号Ｙ、彩度アップ補正された色差信号Ｒ−Ｙ、Ｂ−Ｙはデータ圧縮回路８によりデータ圧縮され、再びメモリ回路６に格納される。メモリ回路６からの画像データの読み出し、輝度信号Ｙ、色差信号Ｒ−Ｙ、Ｂ−Ｙの形成、データ圧縮は繰返し行われ、最終的に１フレーム分の画像データがメモリ回路６に格納される。」
(公報３頁左下欄７行〜同頁右上欄７行)
　
（２）同じく、引用された特開平５−１６７９６５号公報（以下「引用例２」という。）には、「送信機能付き撮像装置及び受信機能付き記録装置」（発明の名称）に関し、図面と共に次に掲げる事項ア、イが記載されている。
　　ア　「撮影した画像を画像信号に光電変換する撮像素子を備えた撮像装置において、前記画像信号を処理して送信可能な信号に変換する信号処理手段と、
撮像装置とは離れた位置に配設された記録装置を制御する制御信号を、前記信号処理手段で処理した画像信号に付加して送信データを形成する送信データ形成手段と、
前記送信データを送信する送信手段と、
を設けたことを特徴とする送信機能付き撮像装置。」（特許請求の範囲第１項）
　　イ　「システムコントロール回路２１はマイクロコンピュータ等を内蔵して上記各回路を制御すると共に、システムコントロール回路２１に内蔵されたマイクロコンピュータによって信号処理手段、送信データ形成手段、送信手段がソフトウェア的に構成されている。」（公報段落【００１４】）
　
（３）同じく、引用された特開平５−６４０７５号公報（以下「引用例３」という。）には、「ビデオ・カメラ，それを用いた撮影方法およびその動作方法，ならびに画像処理装置および方法」（発明の名称）に関し、図面と共に次に掲げる事項ア、イが記載されている。
　　ア　「２つの異なる露光量で被写体を撮像し，露光量の異なる2つの画像をそれぞれ表わす画像信号を出力する撮像手段，および露光量の多い画像を表わす画像信号において，その画像における輝度が相対的に高い領域を表わす画像信号を，露光量の少ない画像における対応する領域を表わす画像信号で置換する，または露光量の少ない画像を表わす画像信号において，その画像における輝度が相対的に低い領域を表わす画像信号を，露光量の多い画像における対応する領域を表わす画像信号で置換することにより，合成された画像信号を作成する手段，
を備えたビデオ・カメラ。」（特許請求の範囲第１項）
　　イ　「上記の処理はその一部または全部をハードウェア回路で実行することもできるし，コンピュータによるソフトウェア処理によっても実行できる。」（公報段落【０１３９】）
　
（４）同じく、引用された特開平３−２４０３８４号公報（以下「引用例４」という。）には、「デイジタル電子スチルカメラ」（発明の名称）に関し、図面と共に次に掲げる事項ア、イが記載されている。
　　ア　「第１図はメモリカードを用いたディジタル電子スチルカメラの一実施例のシステム構成図である。同図に示すディジタル電子スチルカメラは、撮影動作、画像処理、画像データの入出力等のカメラの動作を集中制御するシステムコントローラ１（以下、ＣＰＵという）と、被写体Ａを撮影する撮像部２と、撮像された画像信号に所定の画像処理とデータ圧縮とを施し、圧縮されたディジタル静止画像データを生成するディジタル演算処理部３と、該圧縮されたディジタル画像データを記憶する、例えばＳＲＡＭ等の画像メモリが内蔵された着脱可能なメモリカード４とから構成されている。前記ＣＰＵ１、撮像部２及びディジタル演算処理部３はカメラ本体に内蔵され、メモリカード４はコネクタ１５によりカメラ本体に機械的かつ電気的に接続されるようになされている。」(公報３頁左上欄１７行〜同頁右上欄１２行)
　　イ　「前記撮像部２は、被写体Ａの光像を後述の撮像素子６の受光面上に結像させる撮影レンズ５と、被写体Ａの光像を光電変換し、画像信号（アナログ信号）として読み出す前記撮像素子６と、該画像信号を増幅する増幅器７と、前記画像信号をディジタルデータに変換するＡ／Ｄ変換器８と、該ディジタル画像データやディジタル演算処理部３で処理されたディジタル画像データの保存を行う内部メモリ９とから構成されている。前記撮像素子６は、例えばＲ（赤）、Ｇ(緑)、Ｂ(青)のストライブフィルタを有する単板式の固体撮像素子で、電子シャッタ機能を備えている。また、内部メモリ９は、少くとも１枚分の撮影画像を記憶できる画像領域の外にディジタル演算処理部３の画像処理のためのワーク領域を有し、更にその画像処理結果を保存する記憶領域をも有している。この記憶領域に保存されたディジタル静止画像データはＣＰＵ１からの制御信号によりコネクタ１５を介してメモリカード４に出力され、該メモリカード４の画像メモリ(不図示)に記憶される。
　前記ディジタル演算処理部３は、ディジタル画像データに色分離処理、ホワイトバランス補正処理、ガンマ（γ）補正処理及びマトリックス処理等の画像処理を施す画像処理回路１０と、この画像処理を行ったディジタル画像データにデータ圧縮処理を施す圧縮回路１１とから構成されている。」(公報３頁左下欄１１行〜同頁右下欄１７行）
　
３　【当審の判断】
（１）　請求項１について
　　ア　引用例１には、イメージセンサと、該イメージセンサから読み出された映像信号をデジタル信号に変換するＡ／Ｄ変換器と、前記デジタル信号に基づいた画像データを記憶する記憶手段とを具備するデジタル電子スチルカメラにおいて、撮影時に前記画像データについて所望の補正を行うか否かを選択するとともに、補正選択時に入力された補正値を前記画像データと分離して前記記憶手段に記憶し、且つ記憶された前記画像データを読み出して再生する際に所望の補正を行うか否かを選択する選択手段を設けること（引用例１の上記アの記載参照)、また、システムコントローラ２２によりＣＣＤ２を駆動し、読み出された色信号Ｒ、Ｇ、Ｂが撮像系回路３を介してＡ／Ｄ変換器４に供給され、Ａ／Ｄ変換器４から得られた画像データは、メモリコントロール回路５によってメモリ回路６に供給され、メモリ回路６に色信号Ｒ、Ｇ、Ｂが格納されること(引用例１の上記イの記載参照）は、それぞれ記載されているが、本願の請求項1に係る発明の主要な事項である「カメラの撮影モード設定に応じて、前記撮像素子により得られるディジタル信号を取り込むメモリ割当量を変更可能とした」点の構成（以下「構成Ａ」という。）については何も記載がなく、示唆もない。
　　イ　引用例２及び３には、信号処理をコンピュータによるソフトウェア処理で実行することは記載されている（引用例２の上記イ、引用例３の上記イの記載参照）ものの、本願の請求項１に係る発明の上記「構成Ａ」については何も記載がなく、示唆もない。
　　ウ　引用例４には、ディジタル電子スチルカメラにおいて、内部メモリ９は、少くとも１枚分の撮影画像を記憶できる画像領域の外にディジタル演算処理部３の画像処理のためのワーク領域を有し、更に画像処理結果を保存する記憶領域をも有していることは記載されている(引用例４の上記ア、イの記載参照)ものの、カメラの撮影モード設定に応じてメモリ割当量を変更することについては何も記載がなく、示唆もない。すなわち、本願の請求項１に係る発明の上記「構成Ａ」については何も記載がなく、示唆もない。
　　エ　以上のように、上記各引用例のいずれにも本願の請求項１に係る発明の上記「構成Ａ」について記載がなく、示唆もないし、また、上記「構成Ａ」はカメラ特有のものといえるのであり、コンピュータ分野においてメモリ割当が周知であったとしても、ただちに上記「構成Ａ」についての示唆があるともいえないから、上記各引用例を組み合わせても、本願の請求項１に係る発明が容易になし得るとはいえない。
　　オ　そして、本願の請求項１に係る発明は、上記「構成Ａ」を採用することにより、「第一に内蔵メモリ容量を低減する事ができ、低価格化、装置の小型化が可能となる。また、第二の利点として、メモリの増設によって適応的に撮像系の画像サイズや処理を変更出来る事があげられる。即ち、電子スチルビデオカメラの導入時にはＮＴＳＣの撮像系にしか対応できない物であっても安価な価格で導入される利点があり、後日、用途に応じて例えばハイビジョンやＳＶＧＡサイズの撮像系にシステムを拡張出来る。また、外部記録媒体の速度と内蔵メモリ量に応じて、例えば圧縮などの画像コードバッファ量を可変にする事によりＣＰＵの無駄待ち時間が無く効率的に処理をする事が出来る。」（明細書の段落【００３５】の記載）等の明細書記載の顕著な効果を奏するものと認められる。
　よって、本願の請求項１に係る発明は、上記各引用例に記載の発明から容易になし得たものとすることはできない。
　
（２）　請求項２ないし６について
　本願の請求項２ないし６に係る発明は、請求項１を引用し、さらに限定事項を付加したものであるから、上記（１）で検討したことと同様の理由により、上記各引用例に記載の発明から容易になし得たものとすることはできない。
　
４　【むすび】
　以上のとおりであるから、本願の請求項１ないし６係る発明が上記各引用例に記載された発明に基づいて当業者が容易に発明をすることができたという原査定や前置報告の理由によっては本願を拒絶することはできない。
　また、他に本願を拒絶すべき理由を発見しない。
　よって、結論のとおり審決する。